(57)【要約】      （修正有）【課題】高効率全音域ラウンドスピーカーの構造を提供する。【解決手段】前置角笛構造、後置低音パッセージで構成する高効率全音域ラウンドスピーカーにおいて、前置角笛１１、後ろカバー１２、荷重台２０、スピーカー４０、少なくとも一つのコントロールサーキットボード、イコライザー、低音共振器、固定台７０及び第一、第二、第三、第四共鳴空間２３，１２３，１２４，１２５を含み、前置角笛に含まれるサウンドパッセ−ジは内側の底部に設置し、荷重台は伝導サウンドパッセージを含み、スピーカーを荷重台に設置し、イコライザーを荷重台の伝導サウンドパッセージに設置することで、スピーカーのノーマルサウンドウェーブはイコライザーを使って、該波長を遮り弛緩させ、高音効果を緩衝すると同時に、中音のバランスを取る。【選択図】図３
0003149657.tif 000002
【実用新案登録請求の範囲】
【請求項１】
前置角笛11、荷重台20、スピーカー40、イコライザー50、低音共振器60、固定台70、後ろカバー12を含み、
前置角笛11はサウンドパッセ−ジ114を含み、前置角笛11の内側底部に設置し、
荷重台20は低音共振器60及び固定台70の間に設置し、荷重台20は前置角笛11と連通する伝導サウンドパッセージ21及び、荷重台20の上端にある矩形の開口部分を第一共鳴空間と定義する空間を含み、
スピーカー40は荷重台20に設置し、発声方向は伝導サウンドパッセージ21に向かい、
イコライザー50は錐部51及び複数の支え52を含み、イコライザー50を荷重台20の伝導サウンドパッセージ21の中に設置し、
低音共振器60は蓋63、第一台形低音共振管61及び第二台形低音共振管62を含み、第一台形低音共振管61は蓋63の右側に設置し、第二台形低音共振管62は蓋63の左側に設置し、
固定台70の片側はスピーカー40と荷重台20と結合し、
後ろカバー12は固定台70の別側と結合し、固定台が後ろカバー12と掛合することで、後ろカバーと第二共鳴空間123及び第三共鳴空間124を形成し、第二共鳴空間は後ろカバー12の内部右側に位置し、第三共鳴空間124は後ろカバー12の内部左側に位置し、
前置角笛11と前記各部品及び後ろカバー12が接合することで、本考案の内外部分構造が完成し、内部の主な残余空間を第四共鳴空間125とし、該共鳴空間125は前記の第一、第二、第三共鳴空間23、123、124と互いに連通することを特徴とする高効率全音域ラウンドスピーカー。
【請求項２】
前記前置角笛11は更に第一収納槽112、反射空間113、柱体115、第一反射孔116、サウンドトランスファープレート117を含むことを特徴とする請求項1記載の高効率全音域ラウンドスピーカー。
【請求項３】
前記サウンドトランスファープレート117はT字型構造であり、前側中央に閉鎖プレート118、後ろ側に前側と垂直の中間柱体119を含み、サウンドトランスファープレートは更に多くのサウンドトランスファーホール1171と第二反射孔1191を含み、第二反射孔とはT字型中間柱体の中央空間であり、多くのサウンドトランスファーホール1171は中央の閉鎖プレート118の周りに設置することを特徴とする請求項2記載の高効率全音域ラウンドスピーカー。
【請求項４】
サウンドノブ80は前置角笛11頂部の第一収納槽112及び後ろカバー12の頂部第二収納槽122内部に設置することを特徴とする請求項2記載の高効率全音域ラウンドスピーカー。
【請求項５】
前記伝導サウンドパッセージ21は荷重台20の相対する両側を貫通し、且つ該伝導サウンドパッセージ21はスピーカー40の方向に向かって大きなパッセージ211を形成し、後ろカバー12への開口は小さなパッセージ212を形成することを特徴とする請求項1記載の高効率全音域ラウンドスピーカー。
【請求項６】
前記荷重台20は少なくとも一つのバッテリー収納槽22及び一つのバッテリー蓋24を形成し、バッテリー蓋24はバッテリー収納槽22に入れたバッテリーを固定し、スピーカー40に必要な電力を提供することを特徴とする高効率全音域ラウンドスピーカー。
【請求項７】
更に少なくとも一つのコントロールサーキットボード30を含み、後ろカバー12の固定槽121に固定設置し、スピーカー40と電気接続することで、外部の音声シグナルを受信し、スピーカー40の発声音を駆動することを特徴とする請求項1記載の高効率全音域ラウンドスピーカー。
【請求項８】
更にスタンド13を結合し、該スタンド13は棒131及び台座132を含み、該棒131は台座132と接続し、該スタンド13は後ろカバー12の底部に接続することを特徴とする請求項1記載の高効率全音域ラウンドスピーカー。
【請求項９】
前記後ろカバー12は更に空気孔126を含むことを特徴とする請求項8記載の高効率全音域ラウンドスピーカー。
【考案の詳細な説明】
【技術分野】
【０００１】
本考案はラウンドスピーカーの構造に関し、前置角笛構造、後置に低音パッセージで構成する高効率の全音域ラウンドスピーカーの構造に関する。
【背景技術】
【０００２】
デジタルされたMP3、MP4の音楽や映像を様々なメモリカードやメモリーに保存し、携帯に便利となったため、音声や映像の保存メディアが主流となりつつある今、MP3、MP4プレイヤーやMP3、MP4を再生できる携帯電話などの売れ行きが伸びている。しかし、多くのMP3、MP4のプレイヤー或いは携帯電話は、イヤホーンでのみしか音声が聞き取れないため、音声を周りに広げるためには、ラウンドスピーカーの補助が無ければならない。
【０００３】
従来技術のラウンドスピーカーが全音域のオーディオ効果をアウトプットしたい場合、高音用スピーカー、中音用スピーカー及び低音用スピーカーを一つのスピーカーボックスに設置し、該ボックス内にクロスオーバーネットワークを設置する。該クロスオーバーネットワークが音声シグナルを受信してから、該音声シグナルをそれぞれ高音、アルト、低音周波数に分けてから、それぞれ対応するスピーカーに伝導し、音声をアウトプットする。しかし、MP3、MP4或いは移動装置など、様々なプレイヤーに使用されるラウンドスピーカーは、体積が小さく、携帯しやすいニーズがあるため、限られた小型の携帯用ラウンドスピーカーのスペースの中で、高音、中音、低音スピーカーを設置し、全音域、高効率及び大音量で放送できるラウンドスピーカーの効果を得ることができない。
【０００４】
市販では既に多くの携帯可能な小型ラウンドスピーカーが販売されているが、メーカーは限られた空間を持つ携帯型ラウンドスピーカーがアウトプットできる音声効果を極力アップしようと考える。その製法は主に、ラウンドスピーカーケースの異なる表面に、数個のスピーカーを設置できる空間を増設し、数個のスピーカーで音域効果を強化するが、実際の効果は予想より悪い。スピーカーを増やすと、ラウンドスピーカーの体積を有効的に縮小することができず、携帯できなくなるため、更なる改善が必要であった。
【特許文献１】特開２００１−２３１０９０号公報
【考案の開示】
【考案が解決しようとする課題】
【０００５】
前記従来技術構造の欠点を解決するため、本考案は前置に角笛、後置に低音パッセージを設置する、高効率の全音域ラウンドスピーカーの改良構造を提供することを主な課題とする。本考案はマイクロ型のラウンドスピーカーに適用する。前置の角笛構造は中高音を拡大し、後置の低音パッセージが共鳴することで、低音サウンドウェーブの音量を拡大する効果を持つため、限られた空間でも、全音域のアウトプットの効果を最大限に引き出す。
【課題を解決するための手段】
【０００６】
前記課題を解決するため、本考案は高効率の全音域ラウンドスピーカーを提供する。前置に角笛、後ろにカバー、荷重台、スピーカー、少なくとも一つのコントロールサーキットボード、イコライザー、低音共振器、固定台、サウンドノブ及び後ろカバーと固定台、前置角笛及び各部品が結合した残余空間を第一、第二、第三、第四共鳴空間とする。前置角笛はサウンドパッセ−ジを含み、内側底部に設置し、該サウンドパッセ−ジと連通する反射空間は前側に設置する。サウンドトランスファープレートは反射空間の開放端を覆う。荷重台はサウンドパッセ−ジと連通する伝導サウンドパッセージを含み、スピーカーは荷重台の伝導サウンドパッセージに設置し、発声の方向は該伝導サウンドパッセージに向けている。荷重台は低音共振器及び固定台の間に設置する。荷重台の上端の矩形開口構造空間は第一共鳴空間とする。コントロールサーキットボードは後ろカバーに設置することで、外部の音声シグナルを受信し、スピーカーに伝える。イコライザーを荷重台の伝導サウンドパッセージに設置することで、高音のサウンドウェーブはイコライザーの遮りを利用し、波長を弛緩することで、高音効果のアップを緩衝すると同時に、中音のバランスを取る。低音共振器は前置の角笛と荷重台の間に設置し、第一、第二台形低音共振管及び蓋を含む。第一、第二台形低音共振管はそれぞれ蓋の左右に設置し、前記前置角笛の内側底部にあるサウンドパッセ−ジ片側は開放端であり、低音共振器を該サウンドパッセ−ジの開放端と結合することで、連通した低音パッセージで組成する主要部分の構造を構成し、パッセージ音を無くす。
【０００７】
最良実施例は、スピーカーより発声するネガティブサウンドウェーブが本考案のボックス共鳴空間で生じるハーモニックスは、第一、第二共鳴空間で集めた主な低周波を、第一、第二台形低音共振管の次第に縮小する管の口径により、低音サウンドウェーブが緩和した状態で、第一第二台形低音共振器と共振したあと、更に低周波を共鳴空間に伝達し、低周波の波長を弛緩することで、材料管部品のパッセージ音の瑕疵を無くす。該共鳴空間での共鳴及び、低周波で生じる低音部分を拡大することで、同時に後置低音パッセージの組成する拡大器の効果を得るだけでなく、狭小で限られた空間であるラウンドスピーカーでも、全音域の放送効果を得ることができる。
【考案の効果】
【０００８】
本考案は前置に角笛、後置に低音パイプを設置することで、中高音を広げ、低音を共鳴し、ボリュームを拡大するだけでなく、マイクロ型ラウンドスピーカーの限られた空間でも適用し、全音域のアウトプットの効果を最大限に引き出す。
【考案を実施するための最良の形態】
【０００９】
本考案の構造を明確に示すために図に沿って詳細な説明を行う。図1から図7に示すのは、本考案の最良実施例の高効率全音域ラウンドスピーカー10である。主に前置角笛11、後ろカバー12、荷重台20を含み、少なくともコントロールサーキットボード30、スピーカー40、イコライザー50、低音共振器60及び固定台70、サウンドノブ80、第一共鳴空間23、第二共鳴空間123、第三共鳴空間124、第四共鳴空間125を含む。
【００１０】
図1〜図4に示すように、該前置角笛11は反射タイプの角笛であり、第一収納槽112、反射空間113、柱体115、第一反射孔116、サウンドトランスファープレート117を含む。該サウンドトランスファープレート117はT字型構造であり、前側中央に閉鎖プレート118、後ろ側は前側と垂直に立てた中間柱体119を含む。該サウンドトランスファープレート117は更に複数のサウンドトランスファーホール1171を含み、第二反射孔1191とは、T字型中間柱体の中央空間である。該複数のサウンドトランスファーホール1171は前側中央の閉鎖プレート118の周りに設置する。該サウンドトランスファープレート117のサウンドトランスファーホール1171は前置角笛11の反射空間113と連通し、該第二反射孔1191は前記柱体115の第一反射孔116に嵌合することで、本考案の反射タイプ前置の角笛がノーマルサウンドウェーブの反射放送を行う。該第一収納槽112は前置角笛11の上側に凹設し、該反射空間113は前置角笛11の前側に設け、サウンドパッセージ114は前置角笛11の内部底部に設置する。該サウンドパッセージ114は本考案実施例では矩形型のサウンドパッセージ構造であり、第一収納槽112の底部にコの字形で設置する。サウンドパッセージ114の上側は開放した形態であり、該反射空間113の内錐面中央に前記の柱体115を設置する。該柱体115の中空部分は第一反射孔116とし、該第一反射孔116のサウンドウェーブを第二反射孔1191に発射してから、更に第一反射孔116に返し、連通する該反射空間113から放送する。
【００１１】
図1から図7に示すように、荷重台20は更に反射空間113と連通する伝導サウンドパッセージ21、二つのバッテリー槽22、第一共鳴空間23及びバッテリー蓋24を含む。荷重台20を該低音共振器60及び固定台70の間に設置する。荷重台20は、前置角笛11及び後カバー12で囲まれ掛合した空間内にあり、伝導サウンドパッセージ21はスピーカー40の方向に大きなパッセージ211(図7に示す通り)を形成し、後ろカバー12の開口へは、小さなパッセージ212を形成する。該伝導サウンドパッセージ21の口径は後ろカバー12の片側から前置角笛11に向かって次第に縮小していくことで、スピーカー40のノーマルサウンドウェーブを集めて、大小のパッセージ211及び212から前置角笛11に伝えることで放送することができる。該二つのバッテリー槽22は、伝導サウンドパッセージ21の対応する両側に設置する。二つのバッテリー槽22は伝導サウンドパッセージ21よりやや高く、矩形の開口構造空間を形成する。該矩形開口構造空間を第一共鳴空間23とする。バッテリー蓋24でバッテリー槽22に蓋をすることで(図に未掲載)、バッテリーを固定し、スピーカー40に必要なバッテリーを供給する。
【００１２】
該後ろカバー12に含むのは頂部を窪ませた第二収納槽122、固定槽121、空気孔126である。コントロールサーキットボード30を後ろカバー12の固定槽121の中に設置し、音声シグナルを受信する。固定台70の片側をコントロールサーキットボード30と隣接してから後ろカバー12の中に掛合し(図3、図4及び図8を参照)、後ろカバー12と第二共鳴空間123を形成し、後ろカバー12の内部右側に設置する。第三共鳴空間124を後ろカバー12内部左側に設置する。前置の角笛11の内側空間に荷重台20、スピーカー40、イコライザー50、低音共振器60を設置し、後ろカバー12と合わせ一体することで、本考案の内外部構造(図3、図8を参照)を完成する。第一収納槽112と連接する第二収納槽122で該サウンドノブ80を収納する収納槽を形成する。本考案内部の主な残余空間を第四共鳴空間125とし、該第四共鳴空間125は前記第一、第二、第三共鳴空間23、123、124と互いに連通する。空気孔126と第四共鳴空間125が連通し、第四共鳴空間125のサウンドウェーブ空気スプリング常数圧力を解除することで、後置の低音パッセージオーディオが減衰するのを補助する。
【００１３】
コントロールサーキットボード30はサウンドノブ80とバッテリー槽22に収めるバッテリーと電気接続することで、サウンドノブ80がコントロールサーキットボード30の作動或いはコントロールサーキットボード30の音声シグナルのアウトプットを調整し、バッテリーがコントロールサーキットボード30に必要な電力を提供する。
【００１４】
図1、図2に示すように、イコライザー50は錐部51及び、該錐部51を中心軸として、後端に複数の支え52を結合する。イコライザー50は錐部51を前端方向に該荷重台20の伝導サウンドパッセージ21に入れ、複数の支え52で支え固定する。
【００１５】
図1から図4に示すように、スピーカー40は荷重台20に固定し、伝導サウンドパッセージ21内にあるイコライザー50の後端まで覆い、発声方向は伝導サウンドパッセージ21である。スピーカー40はコントロールサーキットボード30と電気接続し、該コントロールサーキットボード30より音声シグナルをスピーカー40に伝導し、更にスピーカー40からノーマルサウンドウェーブを発し、イコライザー50を通じて、ノーマルサウンドウェーブの特に高周波のサウンドウェーブはイコライザー50の遮りを利用し、波長を弛緩させることで、該高音の効果アップを緩衝すると同時に、該中音のバランスを取る。同時に伝導サウンドパッセージ21の大きなパッセージ211から小さなパッセージ212にまで音声を輸送し、前置の角笛11まで伝えて音声を放送する。
【００１６】
図1から図4に示すように、低音共振器60は前置の角笛11内側のサウンドパッセ−ジ114と結合する。低音共振器60は二つの第一台形低音共振管61、第二台形低音共振管62及び蓋63を含む。第一台形低音共振管61は口径のやや大きいサウンド入り口端611と、口径が次第に小さくなる共振エリア612及び、入り口端611の口径より小さいサウンドの出口端613を含む。第二台形低音共振管62は口径のやや大きいサウンド入り口端621と、口径が次第に小さくなる共振エリア622及び、入り口端621の口径より小さいサウンドの出口端623を含む。入り口端611、621の口径が次第に縮小することで、スムーズに低周波サウンドウェーブを共振エリア612、622に導き、共振を発生することで、サウンドパッセ−ジのパッセージ音を無くす。
【００１７】
第一、第二台形低音共振管61、62が本実施例では矩形の形状構造であり、狭小なラウンドスピーカーの空間では、体積を縮小し、マイクロ型のラウンドスピーカー構造に合わせることができる。第一台形低音共振管61、第二台形低音共振管62はそれぞれ垂直に蓋63の左右両サイドに設置する。該蓋63はコの字サウンドパッセ−ジ114の開放端状態の中段部分を覆う。該第一台形低音共振管61出口端613はコの字型サウンドパッセ−ジ114開放端の右側1141を覆い、第二台形低音共振管62入り口端621はコの字型サウンドパッセ−ジ114開放端の左側1142を覆う。第一台形低音共振管61の入り口端611は第二共鳴空間123と結合し、第二台形低音共振管62の出口端623は第三共鳴空間124と結合することで、閉鎖連通した低音パッセージが主要部分の構造を組成し、パッセージ音を無くし、低音品質をアップする。第一、第四共鳴空間23、125はスピーカー40が本考案に発射した低周波ネガティブハーモニックスを収集し、順に第四共鳴空間125と第二共鳴空間123の連通する空間を通って第二共鳴空間123、第一台形低音共振管61、サウンドパッセ−ジ114、第二台形低音共振管62、第三共鳴空間124に入ってから、第四共鳴空間125及び第一共鳴空間23に発射することで、低周波パッセージのパッセージ音を無くし、共鳴拡大でベストな低音効果を出す。
【００１８】
上述した本考案の内容及び其の他の目的、特徴及びメリットをより分かりやすくするため、本考案の前置角笛作用及び後置の低音サウンドウェーブを拡大する低音組成の二つの最良実施例を挙げる。図9に示すのは、本考案の前置角笛、イコライザー及び低音パッセージで組成する共鳴空間平面参考略図である。図９に示すように、スピーカー40が発するノーマルサウンドウェーブは前置角笛11が発射し、特に中央の凸部の高周波サウンドウェーブは(矢印部分)、イコライザー50後端の遮りにより弛緩し、更に回って、前置角笛11より緩衝した心地よい高音を放送する。後置の第一、第二、第三、第四共鳴空間23、123、124、125は第一、第二台形低音共振管61、62及びサウンドパッセ−ジ114と合わせて低周波ネガティブサウンドウェーブを共鳴し(図10を参照、該図は図9の第一、第二台形低音共振管61、62がサウンドパッセ−ジ114と結合した別側の側面図である)、該共振エリア612、622がパッセージ音を無くし、及び後置の共鳴空間で低周波サウンドウェーブを拡大することで、本考案の高効率全音域ラウンドスピーカーの機能が完成する。
【００１９】
図1から図4に示すように、本考案の後ろカバー12の底側は更にスタンド13を設置し、該スタンド13は棒131及び台座132を含む。前記固定台70は後ろカバー12の内に固定し、該棒131の一端は後ろカバー12及び固定台70と接続し、別端は台座132と接続する。該棒131の設置により、折れる際に台座132は後ろカバー12の底部に密着した状態、或いは直立する際は、台座132は後ろカバー12から離れた直立した状態となる。最良実施例の本考案の固定台70は更に接続部701を含み、該接続部701を固定台70の下側に設置し、棒131は更に掛合部1311を含み、該掛合部1311と接続部701を接続し、後ろカバー12の底部で結合する。接続部701は矩形体を呈し、片側にアーチ型の接続槽を具有する。掛合部1311の一端は垂直に棒131と接続する円柱体であり、接続部701のアーチ型接続槽と接続することで、スタンド13が固定台70と結合した後ろカバー12底部で移動縮合する。
【００２０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２１】
【図１】本考案の最良実施例の立体分解図である。
【図２】図1に示す最良実施例の別の角度から見た立体分解図である。
【図３】図1に示す最良実施例の組み合わせ立体展開状態図である。
【図４】図1に示す最良実施例の組み合わせ平面展開状態図である。
【図５】図1に示す最良実施例の局部部品立体図である。
【図６】図1に示す最良実施例の局部部品平面図である。
【図７】図1に示す最良実施例の局部部品平面図である。
【図８】本考案の組み合わせ立体外観図である。
【図９】本考案のイコライザー及び低音パッセージで組成する共鳴空間の平面参考略図である。
【図１０】図9に示す第一、第二台形低音共振器がサウンドパッセ−ジと結合した別側立面図である。
【符号の説明】
【００２２】
10  高効率全音域ラウンドスピーカー    
11  前置角笛                
112  第一収納槽              
113  反射空間                
114  サウンドパッセージ      
1141 開放端右側            
1142 開放端左側          
115  柱体                  
116  第一反射孔            
117  サウンドトランスファープレート              
1171 サウンドトランスファーホール                
118  閉鎖プレート          
119  中間柱体              
1191 第二反射孔                
12  後ろカバー            
121  固定槽                
122 第二収納槽          
123 第二共鳴空間        
124 第三共鳴空間          
125 第四共鳴空間          
126 空気孔                
13  スタンド                
131 棒                    
1311 掛合部                      
132 台座                
20 荷重台              
21 伝導サウンドパッセージ    
211 大きなパッセージ          
212 小さなパッセージ                    
22 バッテリー収納槽    
23 第一共鳴空間    
24 バッテリー蓋    
30 コントロールサーキットボード  
40 スピーカー                
50 イコライザー              
51 錐部                    
52 支え                    
60 低音共振器                
61 第一台形低音共振管        
62 第二台形低音共振管        
611、621 入り口端            
612、622 共振エリア          
613、623 出口端            
63 蓋                  
70 固定台                
701 接続部                
80  サウンドノブ                  
【図１】
0003149657.tif 000003
【図２】
0003149657.tif 000004
【図３】
0003149657.tif 000005
【図４】
0003149657.tif 000006
【図５】
0003149657.tif 000007
【図６】
0003149657.tif 000008
【図７】
0003149657.tif 000009
【図８】
0003149657.tif 000010
【図９】
0003149657.tif 000011
【図１０】
0003149657.tif 000012
【手続補正書】
【提出日】平成21年2月2日(2009.2.2)
【手続補正１】
【補正対象書類名】実用新案登録請求の範囲
【補正対象項目名】請求項６
【補正方法】変更
【補正の内容】
【請求項６】
前記荷重台20は少なくとも一つのバッテリー収納槽22及び一つのバッテリー蓋24を形成し、バッテリー蓋24はバッテリー収納槽22に入れたバッテリーを固定し、スピーカー40に必要な電力を提供することを特徴とする請求項５記載の高効率全音域ラウンドスピーカー。